(57)【要約】      （修正有）【課題】環境にやさしく、口紅本体を強固に保持できることに加え、充填及び逆充填のいずれにも適用でき、よりスムーズに回転でき、外観が美しく、夜間や薄暗い環境で鞄の中から口紅をすぐに見つけ出すことができるＰＥＴを用いたオールプラスチック製の透明かつ環境保全型の口紅用カートリッジを提供する。【解決手段】口紅用カートリッジは、螺旋筒１と、フォーク３と、ボール２と、を備える。螺旋筒には凹部が設けられ、フォークには突起部が設けられ、螺旋筒とフォークとは、凹部及び突起部により係合されると共に連動的に連結される。フォークにはガイド溝及びガイドロッドが設けられ、ボールはフォークのガイド溝の内部に設置される。ガイドロッドに雄ネジが設けられ、ボールに雌ネジが設けられ、ボールがガイドロッドに沿って上下動可能である。【選択図】図１
0003230926.tif 000002
【実用新案登録請求の範囲】
【請求項１】
ＰＥＴを用いたオールプラスチック製の透明かつ環境保全型の口紅用カートリッジであって、
凹部を有する螺旋筒と、
突起部、ガイド溝、及びガイドロッドを有するフォークと、
ボールと、
を備え、
前記螺旋筒と、前記フォークとは、前記凹部及び前記突起部により係合されると共に連動的に連結され、
前記ボールは、前記フォークの前記ガイド溝の内部に配置され、
前記ガイドロッドに雄ネジが設けられ、前記ボールに雌ネジが設けられ、これにより、前記ボールが前記ガイドロッドに沿って上下動可能である
ことを特徴とするＰＥＴを用いたオールプラスチック製の透明かつ環境保全型の口紅用カートリッジ。
【請求項２】
請求項１に記載のＰＥＴを用いたオールプラスチック製の透明かつ環境保全型の口紅用カートリッジであって、  
前記ボールには、複数のリブが設けられ、当該リブの側壁に複数のギザギザが形成されている
ことを特徴とするＰＥＴを用いたオールプラスチック製の透明かつ環境保全型の口紅用カートリッジ。
【請求項３】
請求項２に記載のＰＥＴを用いたオールプラスチック製の透明かつ環境保全型の口紅用カートリッジであって、  
前記複数のリブの側壁に形成されたギザギザは、向きが異なる
ことを特徴とするＰＥＴを用いたオールプラスチック製の透明かつ環境保全型の口紅用カートリッジ。
【請求項４】
請求項１に記載のＰＥＴを用いたオールプラスチック製の透明かつ環境保全型の口紅用カートリッジであって、  
前記フォークの底部は、中空構造として設けられ、当該中空構造の内部に蛍光体が充填されている
ことを特徴とするオールプラスチック製の透明かつ環境保全型の口紅用カートリッジ。
【請求項５】
請求項４に記載のＰＥＴを用いたオールプラスチック製の透明かつ環境保全型の口紅用カートリッジであって、  
前記蛍光体は、柱状又は逆Ｔ字状である
ことを特徴とするオールプラスチック製の透明かつ環境保全型の口紅用カートリッジ。
【請求項６】
請求項４に記載のＰＥＴを用いたオールプラスチック製の透明かつ環境保全型の口紅用カートリッジであって、  
前記蛍光体は、単色である
ことを特徴とするオールプラスチック製の透明かつ環境保全型の口紅用カートリッジ。
【請求項７】
請求項４に記載のＰＥＴを用いたオールプラスチック製の透明かつ環境保全型の口紅用カートリッジであって、  
前記蛍光体は、多色である
ことを特徴とするオールプラスチック製の透明かつ環境保全型の口紅用カートリッジ。
【請求項８】
請求項１に記載のＰＥＴを用いたオールプラスチック製の透明かつ環境保全型の口紅用カートリッジであって、  
前記螺旋筒は、ＰＥＴ材料から構成される
ことを特徴とするオールプラスチック製の透明かつ環境保全型の口紅用カートリッジ。
【請求項９】
請求項１に記載のＰＥＴを用いたオールプラスチック製の透明かつ環境保全型の口紅用カートリッジであって、
前記ボールは、ＰＥＴ材料から構成される
ことを特徴とするオールプラスチック製の透明かつ環境保全型の口紅用カートリッジ。
【請求項１０】
請求項１に記載のＰＥＴを用いたオールプラスチック製の透明かつ環境保全型の口紅用カートリッジであって、  
前記フォークは、ＰＥＴ材料から構成される
ことを特徴とするオールプラスチック製の透明かつ環境保全型の口紅用カートリッジ。
【考案の詳細な説明】
【考案の詳細な説明】
【０００１】
[技術分野]
本考案は、化粧品包装に関する。特に、ＰＥＴを用いたオールプラスチック製の透明かつ環境保全型の口紅用カートリッジに関する。
【０００２】
[背景]
社会の発展に伴い、口紅は馴染み深いものとしてよく人々の日常生活に登場している。口紅は、リップスティックやリップペンシルの一種として、唇を赤く輝かせつや感を与えることで、唇に潤いを与え乾燥から守り、さらに顔の美しさを増し、唇の輪郭を美化し際立たせることを実現させる製品であり、女性にとって欠かせない美容化粧品のひとつでもある。口紅を塗布することで、女性のセクシーさや魅力を増す効果がある。
【０００３】
口紅には、通常、液体型のリップグロスと固形クリーム状のリップスティックとが含まれる。リップグロスは、チップで唇に直接塗布したり、ブラシで直接つけて塗布したりすることもできるが、その効果が長続きしない。これに対して、クリーム状の口紅は、持続性が良く、均一性もリップグロスより良いため、女性の間で広く好まれている。
【０００４】
[概要]
本考案は、ＰＥＴを用いたオールプラスチック製の透明かつ環境保全型の口紅用カートリッジを提供し、螺旋筒とフォークとが直接接続されることにより、全体の構造を簡素化させ、口紅本体の上下動をより滑らかにすることを目的とする。
【０００５】
本考案は、以下の技術考案により実現されている。
ＰＥＴを用いたオールプラスチック製の透明かつ環境保全型の口紅用カートリッジであって、凹部を有する螺旋筒と、突起部、ガイド溝、及びガイドロッドを有するフォークと、ボールと、を備え、前記螺旋筒と、前記フォークとは、前記凹部及び前記突起部により係合されると共に連動的に連結され、前記ボールは、前記フォークの前記ガイド溝の内部に設置され、前記ガイドロッドに雄ネジが設けられ、前記ボールに雌ネジが設けられ、これにより、前記ボールが前記ガイドロッドに沿って上下動可能である。
【０００６】
前記ボールには、複数のリブが設けられ、当該リブの側壁に複数のギザギザが形成されていることが好ましい。
前記リブの側壁に形成された複数のギザギザは、向きが異なることが好ましい。
【０００７】
前記フォークの底部は、中空構造として設けられ、当該中空構造の内部に蛍光体が充填されていることが好ましい。
前記蛍光体は、柱状又は逆Ｔ字状であることが好ましい。
【０００８】
前記蛍光体は、単色であることが好ましい。
前記蛍光体は、多色であることが好ましい。
前記螺旋筒は、ＰＥＴ材料から構成されることが好ましい。
【０００９】
前記ボールは、ＰＥＴ材料から構成されることが好ましい。
前記フォークは、ＰＥＴ材料から構成されることが好ましい。
本考案の設計原理は、使用者による螺旋筒の回転に伴ってボールを連動的にフォークのガイド溝内を上下動させることで、口紅本体の上下動が実現されるものである。また、フォークの底部の中空構造に蛍光体が充填されているため、夜間や薄暗い環境で鞄の中から口紅をすぐに見つけ出すことができる。
【００１０】
本考案の有益な効果は、以下の通りである。本考案では、ＰＯＭ材料の代わりにＰＥＴ材料を用いるため、より環境にやさしい。また、ボールのリブが螺旋状に配置されるため、口紅本体を強固に保持できることに加え、充填及び逆充填の充填工程のいずれにも適用することができる。また、螺旋筒とフォークとの独特な係合設計により、よりスムーズに回転させることができる。また、フォークの底部の中空構造の内部に蛍光体が充填されているため、外観が美しく、夜間や薄暗い環境で鞄の中から口紅をすぐに見つけ出すことができる。また、本考案のＰＥＴを用いたオールプラスチック製の透明かつ環境保全型の口紅用カートリッジは、全体でＰＥＴ材料から構成されるため、リサイクルの際に、分解することなく１００％のリサイクル率で回収されることが達成される。このように、本考案のＰＥＴを用いたオールプラスチック製の透明かつ環境保全型の口紅用カートリッジは、環境にやさしい製品として、環境汚染問題が日増しに世界的な難題になりつつある今日において、その市場の見通しや環境価値が計り知れないものである。
【図面の簡単な説明】
【００１１】
【図１】本考案のＰＥＴを用いたオールプラスチック製の透明かつ環境保全型の口紅用カートリッジの構成の模式図である。
【図２】本考案における蛍光体の１つの実施例の構成の模式図である。
【図３】本考案における蛍光体のもう１つの実施例の構成の模式図である。
【考案を実施するための形態】
【００１２】
以下、本考案の例示的な実施形態を図面と共に詳しく説明する。本実施形態は、本考案の技術考案を前提として実施するものであり、詳しい実施方法や具体的な操作手順について記載されている。しかし、本考案は、以下の実施形態に限定されるものではない。
【００１３】
図１では、螺旋筒１と、ボール２と、フォーク３とが示される。螺旋筒１、ボール２及びフォーク３は、それぞれＰＥＴ材料から構成される。螺旋筒１には、凹部が設けられ、フォーク３には、突起部が設けられている。螺旋筒１とフォーク３とは、当該凹部及び当該突起部により係合されると共に連動的に連結される。つまり、螺旋筒１を回転させると、フォーク３は、その回転に伴って回転する。
【００１４】
フォーク３には、ガイド溝とガイドロッドとが設けられている。ボール２は、フォーク３のガイド溝の内部に設置されている。ガイドロッドは、雄ネジを有し、ボール２は、雌ネジを有し、これにより、ボール２は、フォーク３のガイドロッドに沿って上下動可能である。
【００１５】
ボール２には、複数のリブが設けられ、当該複数のリブの側面に複数のギザギザが形成されている。複数のリブの側面に形成された複数のギザギザは、向きが異なり、斜め上向きのギザギザもあれば、斜め下向きのギザギザもある。これにより、口紅の充填又は逆充填を行う際に、ボール２の複数のリブに強固に保持されることができる。
【００１６】
図１〜図３に示すように、フォーク３の底部は、中空構造として設けられている。当該中空構造内には、単色又は多色の蛍光体３１が充填されている。蛍光体３１の発光により、使用者は、夜間や薄暗い環境で鞄の中から口紅をすぐに見つけ出すことができる。蛍光体３１は、フォーク３の底部に係合して設置される。蛍光体３１は、明るさのニーズに応じて、図２に示す柱状に形成されてもよいし、図３に示す逆Ｔ字状に形成されてもよい。
【００１７】
以上、本考案の基本原理、主な特徴、及び本考案のメリットを示しながら記載した。当業者にとって、本考案は、以上の実施形態に限定されるものではない。以上の実施形態及び明細書における記載は、本考案の原理を記載するものにすぎず、本考案の趣旨を逸脱しない範囲において、各種の変更や改良が行われてもよい。これらの変更や改良も、本考案の請求範囲に属する。本考案の請求範囲は、添付の実用新案登録請求の範囲及びその同等物により定まる。
【符号の説明】
【００１８】
１…螺旋筒、２…ボール、３…フォーク、３１…蛍光体
【図１】
0003230926.tif 000003
【図２】
0003230926.tif 000004
【図３】
0003230926.tif 000005